(57)【要約】【課題】ガス設備保安点検作業の業務平均化と確実性及び効率性の向上を実現することができるガス設備保安点検用携帯端末及びガス設備保安点検システムを提供すること。【解決手段】ガス設備保安点検用携帯端末（１）は、現在地から目的地までのルート案内を表示手段（１７）に表示させる制御手段（１１）と、管理システムと通信する通信手段（１９）を備えている。制御手段（１１）は、さらに、ガス設備点検用アプリケーションソフトの起動時に、通信ネットワーク（２）を介して管理システム（３）のデータベース（３３）に格納されている顧客情報を取得し、顧客情報とガス設備点検用画面フォーマットとに基づいて点検結果入力画面を表示手段（１７）に表示させると共に、点検結果入力画面への点検結果の入力後に、点検結果を通信ネットワーク（２）を介して管理システム（３）へ送信してデータベース（３３）に登録させるように制御する。【選択図】図１
2010165317.tif 000002
【特許請求の範囲】
【請求項１】
管理システムと通信ネットワークを介して通信するガス設備保安点検用携帯端末であって、
現在位置を示す位置情報を取得する位置情報取得手段と、
地図情報が予め記憶された記憶手段と、
表示手段と、
前記位置情報及び前記地図情報に基づいて現在地から点検調査先までのルート案内を表示手段に表示させる制御手段と、
前記管理システムと通信する通信手段とを備え、
前記記憶手段には、さらに、ガス設備点検用アプリケーションソフトと、ガス設備点検用画面フォーマットが予め記憶され、
前記制御手段は、さらに、前記ガス設備点検用アプリケーションソフトの起動時に、前記通信ネットワークを介して前記管理システムと通信することにより前記管理システムのデータベースに格納されている顧客情報を取得し、取得した前記顧客情報と前記記憶手段に記憶されている前記ガス設備点検用画面フォーマットとに基づいて点検結果入力画面を前記表示手段に表示させると共に、前記点検結果入力画面への点検結果の入力後に、前記点検結果を前記通信ネットワークを介して前記管理システムへ送信して前記データベースに登録させるように制御する
ことを特徴とするガス設備保安点検用携帯端末。
【請求項２】
請求項１記載のガス設備保安点検用携帯端末において、
前記制御手段は、前記ガス設備保安点検用携帯端末に接続された印刷手段へ前記点検結果を表す点検調査票出力を行って印刷させるように制御することを特徴とするガス設備保安点検用携帯端末。
【請求項３】
請求項１または２記載のガス設備保安点検用携帯端末において、
前記制御手段は、さらに、前回点検結果の内容を前記表示手段に表示させるように制御することを特徴とするガス設備保安点検用携帯端末。
【請求項４】
請求項１から３のいずれか１項に記載のガス設備保安点検用携帯端末と、前記ガス設備保安点検用携帯端末と通信ネットワークを介して通信する管理システムとを含み、
前記管理システムは、顧客情報を格納したデータベースと、前記データベースに格納された前記顧客情報を前記ガス設備保安点検用携帯端末へ送信すると共に、前記ガス設備保安点検用携帯端末から送信された前記点検結果を受信して前記データベースへ供給して登録させる通信手段とを備えている
ことを特徴とするガス設備保安点検システム。
【発明の詳細な説明】
【技術分野】
【０００１】
本発明は、ガス設備保安点検の点検調査作業の確実性と効率性の向上を図るガス設備保安点検用携帯端末及びガス設備保安点検システムに関するものである。
【背景技術】
【０００２】
従来、ガス供給システム（例えば、ＬＰガス供給システム）における供給側及び消費側のガス設備の保安点検作業は、保安点検作業員が、保安点検対象顧客先において、点検調査結果をガス設備点検調査票用紙を用いて実施し、手書きを主とした記録・起票で管理するものであった。また、点検調査結果が記録されたガス設備点検調査票用紙は、保安点検対象顧客先が一部、保安を管理する保安センターまたは保安管理の委託を受けた保安機関が一部を管理し、保安点検証跡を残すものである。
【０００３】
また、前述の保安点検作業は、保安情報を一元管理する業務処理装置のデータベースへ格納するために前記点検調査結果を手入力する作業が発生し、入力結果を確認することによって、保安点検調査結果の管理業務が完結するものであった。
【発明の概要】
【発明が解決しようとする課題】
【０００４】
しかしながら、上述の従来の保安点検作業では、保安点検作業員のガス設備点検調査票の手書き管理による誤字脱字や、属人的な記入によるムダや非効率がたびたび発生していた。なおかつ、調査票を目視しながら業務処理装置に転記入力することにより誤入力や誤出力を誘発する危険性があった。
【０００５】
また、保安点検作業員が保安点検対象顧客先へ移動する場合、宅地地図を携行してそれを見ながら移動したり、あるいは、車両に通常のカーナビゲーション装置を設置してその画面に顧客先までのルート案内を表示させて移動したりすることがあり、保安作業員ごとにまちまちな業務運用が存在するものであった。
【０００６】
そこで本発明は、このような従来の業務手法が有していた問題を解決するものであり、ガス設備保安点検作業の業務平均化と確実性及び効率性の向上を実現することができるガス設備保安点検用携帯端末及びガス設備保安点検システムを提供することを目的としている。
【課題を解決するための手段】
【０００７】
上記課題を解決するためになされた請求項１記載の発明は、管理システム（３）と通信ネットワーク（２）を介して通信するガス設備保安点検用携帯端末（１）であって、現在位置を示す位置情報を取得する位置情報取得手段（１２，１３，１４，１５）と、地図情報が予め記憶された記憶手段（１８）と、表示手段（１７）と、前記位置情報及び前記地図情報に基づいて現在地から点検調査先までのルート案内を表示手段（１７）に表示させる制御手段（１１）と、前記管理システム（３）と通信する通信手段（１９）とを備え、前記記憶手段（１８）には、さらに、ガス設備点検用アプリケーションソフトと、ガス設備点検用画面フォーマットが予め記憶され、前記制御手段（１１）は、さらに、前記ガス設備点検用アプリケーションソフトの起動時に、前記通信ネットワーク（２）を介して前記管理システム（３）と通信することにより前記管理システム（３）のデータベース（３３）に格納されている顧客情報を取得し、取得した前記顧客情報と前記記憶手段（１８）に記憶されている前記ガス設備点検用画面フォーマットとに基づいて点検結果入力画面を前記表示手段（１７）に表示させると共に、前記点検結果入力画面への点検結果の入力後に、前記点検結果を前記通信ネットワーク（２）を介して前記管理システム（３）へ送信して前記データベース（３３）に登録させるように制御することを特徴とする。
【０００８】
上記課題を解決するためになされた請求項２記載の発明は、請求項１記載のガス設備保安点検用携帯端末において、前記制御手段（１１）は、前記ガス設備保安点検用携帯端末（１）に接続された印刷手段（４）へ前記点検結果を表す点検調査票出力を行って印刷させるように制御することを特徴とする。
【０００９】
上記課題を解決するためになされた請求項３記載の発明は、請求項１または２記載のガス設備保安点検用携帯端末において、前記制御手段（１１）は、さらに前回点検結果の内容を前記表示手段（１７）に表示させるように制御することを特徴とする。
【００１０】
上記課題を解決するためになされた請求項４記載の発明のガス設備保安点検システムは、請求項１から３のいずれか１項に記載のガス設備保安点検用携帯端末（１）と、前記ガス設備保安点検用携帯端末（１）と通信ネットワーク（２）を介して通信する管理システム（３）とを含み、前記管理システム（３）は、顧客情報を格納したデータベース（３３）と、前記データベース（３３）に格納された前記顧客情報を前記ガス設備保安点検用携帯端末（１）へ送信すると共に、前記ガス設備保安点検用携帯端末（１）から送信された前記点検結果を受信して前記データベース（３３）へ供給して登録させる通信手段（３１，３２）とを備えていることを特徴とする。
【００１１】
なお、上述の課題を解決するための手段の説明におけるかっこ書きの参照符号は、以下の発明の実施の形態の説明における構成要素の参照符号に対応しているが、これらは、特許請求の範囲の解釈を限定するものではない。
【発明の効果】
【００１２】
請求項１記載の発明によれば、ナビゲーション機能により、現在地から点検調査先までのルート案内を表示手段に表示させることができると共に、ガス設備点検用アプリケーションソフトの起動時に、通信ネットワークを介して管理システムと通信することにより管理システムのデータベースに格納されている顧客情報を取得し、取得した顧客情報と記憶手段に記憶されているガス設備点検用画面フォーマットとに基づいて点検結果入力画面を表示手段に表示させると共に、点検結果入力画面への点検結果の入力後に、点検結果を通信ネットワークを介して管理システムへ送信してデータベースに登録させるように制御する。それにより、点検調査結果の入力作業が手書き等をすることなく効率的に行われると共に、点検結果の記録ミス等の人為的ミスが軽減して確実性が向上し、ガス設備保安点検作業の業務平均化がなされる。また、帳票点検内容のチェックを行う必要がなくなり、点検実施者の業務軽減に繋がる。また、点検調査結果は、管理システムへ送信され、データベースに自動的に保存されるので、従来のように点検調査票を持ち帰った後の入力作業を行う必要がなくなり、業務軽減に繋がる。
【００１３】
請求項２記載の発明によれば、制御手段は、ガス設備保安点検用携帯端末に接続された印刷手段へ点検結果を表す点検調査票出力を行って印刷させるように制御するので、点検現場で点検調査票を印刷することができる。
【００１４】
請求項３記載の発明によれば、制御手段は、さらに、前回点検結果の内容を表示手段に表示させるように制御するので、前回の調査結果と同じ点検結果となった点検項目については新たな入力を省くことができ、作業の効率化に繋がる。
【００１５】
請求項４記載の発明によれば、請求項１から３のいずれか１項に記載のガス設備保安点検用携帯端末と、ガス設備保安点検用携帯端末と通信ネットワークを介して通信する管理システムとを含み、管理システムは、顧客情報を格納したデータベースと、データベースに格納された顧客情報をガス設備保安点検用携帯端末へ送信すると共に、ガス設備保安点検用携帯端末から送信された点検結果を受信してデータベースへ供給して登録させる通信手段とを備えているので、従来のように点検調査票を持ち帰った後の管理システムへの入力作業を行う必要がなくなり、業務軽減に繋がる。
【図面の簡単な説明】
【００１６】
【図１】本発明に係る第１の実施形態に係るガス設備保安点検用携帯端末を含むガス設備保安点検システムの構成を示す概略図である。（第１の実施形態）
【図２】点検実施者が保安点検作業を行う手順の概要を示す図である。（第１の実施形態）
【図３】点検作業時のＰＮＤのＣＰＵで実行される処理を示すフローチャートである。（第１の実施形態）
【図４】点検作業時のＰＮＤの画面切り換え遷移を示す図である。（第１の実施形態）
【図５】ログイン画面の一例を示す図である。（第１の実施形態）
【図６】メインメニュー画面の一例を示す図である。（第１の実施形態）
【図７】点検調査結果登録機能におけるＰＮＤの画面切り換え遷移を示す図である。（第１の実施形態）
【図８】点検調査先検索画面の一例を示す図である。（第１の実施形態）
【図９】点検調査結果入力画面の一例を示す図である。（第１の実施形態）
【図１０】供給設備点検結果入力画面の一例を示す図である。（第１の実施形態）
【図１１】消費説調査結果入力画面の一例を示す図である。（第１の実施形態）
【図１２】漏洩試験情報入力画面の一例を示す図である。（第１の実施形態）
【図１３】点検調査総合判定確認画面の一例を示す図である。（第１の実施形態）
【図１４】内容詳細確認ダイアログの一例を示す図である。（第１の実施形態）
【図１５】点検調査票出力画面の一例を示す図である。（第１の実施形態）
【図１６】本発明に係るの第２の実施形態に係るガス設備保安点検用携帯端末を含むガス設備保安点検システムの構成を示す概略図である。（第２の実施形態）
【発明を実施するための形態】
【００１７】
以下、本発明の実施形態について図面を参照して説明する。
【００１８】
（第１の実施形態）図１は、本発明の第１の実施形態に係るガス設備保安点検用携帯端末を含むガス設備保安点検システムの構成を示す概略構成図である。図１において、ガス設備保安点検システムは、ガス設備保安点検用携帯端末としてのポータブルナビゲーションデバイス（以下、ＰＮＤという）１と、通信ネットワークとしてのインターネット２と、ガス供給業者の管理システム３と、プリンタ４とから構成されてる。
【００１９】
管理システム３は、ウェブサーバー３１、データベースサーバー３２およびデータベース（ＤＢ）３３から構成されている。ウェブサーバー３１は、ＰＮＤ１とのデータ通信と、データベースサーバー３２とのデータのやり取りを行う。データベースサーバー３２は、ウェブサーバー３１で受信されたデータをＤＢ３３に格納し、ＤＢ３３に格納されている情報をウェブサーバー３１へ送るように働く。
【００２０】
ＤＢ３３には、保安点検作業員（点検実施者）の所属会社名、拠点コード、事業所コード、事業所名、担当者コード、担当者名、ログインＩＤ、パスワード等の保安点検作業員情報を格納した保安点検作業員情報マスタと、保安点検対象のガス器型番情報（例えば、ＲＮ４１５５等）を格納した器具名称情報マスタと、保安対象のガス器具名称情報（例えば、リンナイガステーブル）を格納した名称情報マスタと、顧客関連情報（例えば、氏名、住所、売掛債権等）を格納した顧客情報マスタと、顧客へのガス供給開始時のガス設備の点検調査結果の履歴を格納した供給開始時点検調査履歴情報マスタと、定期点検時のガス供給設備の点検調査結果の履歴を格納した定期供給設備点検履歴情報マスタと、定期点検時のガス消費設備の点検調査結果の履歴を格納した定期消費設備点検履歴情報マスタ等が格納されている。
【００２１】
ＰＮＤ１は、全体制御を行うための制御手段としてのＣＰＵ１１と、ＧＰＳアンテナ１２と、ＣＰＵ１１にそれぞれ接続されているＣＰＳ受信部１３、加速度センサ１４、電子コンパス１５、入力部１６、表示部１７及びメモリ１８を有する既存のＰＮＤに、通信部１９を追加した構成となっている。
【００２２】
ＧＰＳアンテナ１２及びＧＰＳ受信部１３は、ＧＰＳ衛星からのＧＰＳ電波を受信してＧＰＳ測位信号を出力する。加速度センサ１４は、ＰＮＤ１に加えられる加速度を検出して加速度信号を出力する。電子コンパス１５は、地磁気を検出する磁気センサを含み、地磁気検出信号を出力する。ＰＮＤ１は、ＧＰＳアンテナ１２及びＧＰＳ受信部１３によって受信されるＧＰＳ測位信号と、加速度センサ１４で検出される加速度信号と、電子コンパスで検出される地磁気検出信号とに基づいて、現在位置及び進行方向を算出して、表示部１７にマップ表示することができる。
【００２３】
入力部１６は、ＬＣＤ（液晶ディスプレイ）等からなる表示部１７の画面上に設けられたタッチパネルで構成され、スタイラスペンまたは指先の接触により入力可能なタッチパネル式のものである。
【００２４】
メモリ１８は、不揮発性メモリからなり、ＰＮＤ１の基本機能であるナビゲーション機能を実行するための地図データが予め格納されている。また、メモリ１８には、Ｗｉｎｄｏｗｓ（登録商標）等のコンピュータ基本ソフト（ＯＳ）と、インターネットのウェブページを閲覧するためのブラウザ等のアプリケーションソフトと、ガス（例えば、ＬＰガス）設備保安点検作業を実行するためのアプリケーションソフトとが予めインストールされている。また、メモリ１８には、ガス設備保安点検作業時に表示部１７に切り替え表示される複数の画面フォーマットも予め格納されている。
【００２５】
通信部１９は、インターネット２を介して管理システム３のウェブサーバー３１とデータ通信を行うものである。
【００２６】
ＰＮＤ１は、宅地地図や点検用紙並びに通常の漏洩試験機器、安全確認機器等の保安点検作業員が保安点検作業で使用するのに必要な複数の準備物の中で、システム化することのでき得る、（１）地図と（２）点検用紙を、それぞれ、ＰＮＤ１と、ＬＰガス保安点検プログラムへ置き換えることによって、定期点検保安の全体的な業務改善を図るものである。
【００２７】
ＰＮＤ１は、ガス供給業者の営業車両に搭載され、その画面に表示されるマップ表示により保安点検作業員を目的地（保安点検対象顧客先）へ速やかにかつ安全に誘導する。また、ＰＮＤ１は、目的地に到着後、車両から取り外され、保安点検作業員が携帯可能な状態で、保安点検作業のためのガス保安プログラムが起動される。
【００２８】
図２は、保安点検作業員（点検実施者）が保安点検作業を行う手順の概要を示す図である。
（手順１）点検実施者は、営業所等において管理システム３のＤＢ３３に接続されたパソコン（図示しない）を用いて、ＤＢ３３から訪問先（保安点検対象顧客先）のリストを取得し、パソコンに接続されたプリンタで印刷する。
（手順２）点検実施者は、印刷した訪問先（点検調査先）リストを参照し、電話等で訪問先のアポイントを取る。
（手順３）点検実施者は、車載されたＰＮＤ１を起動させ、ナビゲーションメインメニュー画面から「ナビゲーション」を選択し、通常のナビゲーション機能により訪問先の住所等を入力することにより、訪問先までのルート検索を行い、表示部１７にルート案内をマップ表示させる。
（手順４）点検実施者は、ルート案内にしたがって移動して顧客宅を訪問し、ガス設備の保安点検作業を開始する。
（手順５）点検作業者は、ＰＮＤ１を車両から取り外して携帯し、ＰＮＤ１を起動して、ＬＰガス保安点検プログラムへログインする。ＬＰガス保安点検プログラムへのログインは、表示部１７に表示されるナビゲーションメインメニュー画面における所定の場所（たとえば、４隅のうちの１隅）に設けられたウィンドウズ（登録商標）の「スタート」ボタンをスタイラスペン等でクリック（タッチ）することによって、ナビゲーションメインメニュー画面にウィンドウズ（登録商標）のプログラム選択メニュー画面を重ね表示し、その画面中に表示されている「ＬＰガス保安点検プログラム」ボタンをクリックすることにより、ガス設備点検用アプリケーションソフトを起動させてログイン画面に切り替え、ログイン画面においてログインＩＤ、パスワード等を入力することにより行われる。
（手順６）点検実施者は、ＰＮＤ１により、訪問先の顧客コードをキー入力して、顧客情報をＤＢ３３から取得する。
（手順７）点検実施者は、点検調査を行い、点検調査結果をＰＮＤ１に入力する。
（手順８）点検実施者は、点検調査結果を管理システム３へ送信してＤＢ３３に登録させる。
（手順９）点検実施者は、点検調査結果を帳票出力し、プリンタ４で点検調査票を印刷する。なお、プリンタ４は、点検実施者が携帯可能なハンディタイプのものである。
（手順１０）点検実施者は、点検調査票（お客様控え）をお客様へお渡しする。
（手順１１）点検実施者は、お客様のサイン済み点検調査票（保安機関控え）を持ち帰り、次の点検先への移動を開始するため、手順３に戻る。
【００２９】
図３は、前述の手順５〜９においてＰＮＤ１のＣＰＵ１１で実行される処理を示すフローチャートである。
【００３０】
まず、前述の手順５で表示部１７に表示されるログイン画面において拠点コード、ログインＩＤ、パスワードが入力されると、点検実施者認証が実行される（ステップＳ２１）。この点検実施者認証では、入力された拠点コード、ログインＩＤ及びパスワードが、認証要求信号と共に通信部１９を介して管理システム３へ送信される。
【００３１】
管理システム３において、受信された拠点コード、ログインＩＤ及びパスワードが、ＤＢ３３の保安点検作業員情報マスタに格納されている保安点検作業員情報と比較される認証処理が行われる。認証処理において、受信された拠点コード、ログインＩＤ及びパスワードが、ＤＢ３３の保安点検作業員情報マスタに格納されている複数の保安点検作業員情報のいずれかと一致すると、アクセスが承認され、一致した保安点検作業員情報（事業所コード、事業所名、担当者コード、担当者名）が、ＤＢ３３からウェブサーバー３１を介してＰＮＤ１へ送信される。
【００３２】
送信された保安点検作業員情報（事業所コード、事業所名、担当者コード、担当者名）がＰＮＤ１で受信されると、表示部１７の画面が、ログイン画面からメインメニュー画面に切り替え表示される（ステップＳ２２）。
【００３３】
メインメニュー画面において、点検調査、当日内改善、帳票再印刷の各作業のうち、点検調査が選択されたか否かが判定される（ステップＳ２３）。点検調査が選択されていなければ、次いで、他の作業（当日内改善または帳票再印刷）に進む（ステップＳ２４）。点検調査が選択されていれば、次いで、点検調査結果登録機能における点検調査先検索に進み、表示部１７に点検調査先検索画面が表示される（ステップＳ２５）。
【００３４】
次に、点検調査先検索画面において、顧客コードが入力されると、顧客情報取得が実行される（ステップＳ２６）。顧客情報取得においては、顧客情報要求信号が顧客コードと共にＰＮＤ１から管理システム３側へ送信され、それに応じて、当該顧客コードに該当する顧客情報がＤＢ３３のマスタから読み出されてＰＮＤ１側へ送信される。ＰＮＤ１は、送信された顧客情報を取得してメモリ１８に一時的に保存する。
【００３５】
次に、画面上の点検開始ボタンがクリックされると、点検調査結果入力画面が表示部１７に表示される（ステップＳ２７）。点検調査結果入力画面の表示の際には、メモリ１７に予め記憶されている点検作業のための画面フォーマットが読み出されると共に、メモリ１８に一時保存されている顧客情報のうち、呼び出される画面フォーマット上に表示するのに必要な部分の顧客情報が読み出されて当該画面に表示される。
【００３６】
次に、点検調査結果入力画面において、点検調査結果が入力される（ステップＳ２８）。点検調査結果の入力は、基本情報、供給設備点検、消費設備調査、漏洩試験等の各入力画面が順次表示され、点検結果の数値入力や、画面上に表示されている良か否かの判定結果の選択入力が行われる。
【００３７】
次に、全ての点検調査結果の入力が終了し、画面上の確認ボタンがクリックされると、表示部１７に点検調査総合判定確認画面が表示される（ステップＳ２９）。この点検調査総合判定確認画面では、各入力画面で入力された良か否かの判定結果を総合的に判断して自動的に「適」か「否」か表示される。例えば、いずれかの入力で「否」が１つでもあれば、総合的に「否」と表示され、「否」が１つもなければ「適」と表示される。
【００３８】
次に、点検調査総合判定確認画面上の登録ボタンがクリックされると、点検結果として、各点検入力画面における数値入力値及び良否判定結果と、点検調査総合判定確認画面における適否の総合判定結果とが管理システム３側に送信され、管理システム３側で、受信された点検調査結果が点検年月日と共にＤＢ３３に登録される（ステップＳ３０）。なお、登録処理が終了すると、メモリ１８に一時的に保存されていた顧客情報は全て消去され、メモリ１８の顧客情報保存領域は、次の点検調査先の顧客情報取得を待機する空き状態となる。
【００３９】
次に、ステップＳ３０における登録処理が行われると、表示部１７の画面が点検調査票出力画面に切り替え表示され、この画面上の点検調査票出力ボタンがクリックされると、管理システム３側から点検調査結果が入れられた点検調査票印刷イメージが取得され、プリンタ４へ点検調査票出力が行われ、プリンタ４で点検調査票が印刷される（ステップＳ３１）。
【００４０】
このようにして、点検実施者は、ＰＮＤ１を携帯して点検作業時にその点検結果を手書き等を要することなく、効率良く入力することができる。
【００４１】
次に、上述の点検作業で表示部１７に表示される画面切り替えの遷移と、各画面の例について図４〜図１５を参照しながら説明する。
【００４２】
図４は、点検作業時のログイン後のＰＮＤ１の画面切り替え遷移を示す図である。ＬＰガス保安点検プログラムへのログインにより、保安点検作業で使用される各画面は、メモリ１８より逐次呼び出され、表示部１７で表示される。ログイン画面からのログインにより、メインメニュー画面に切り替わり、「点検調査」、「当日内改善」、「帳票再印刷」、「パスワード変更」のメニュー項目の選択により、点検調査結果登録機能、当日内改善機能、帳票再印刷機能、パスワード変更機能へ進む。
【００４３】
図５は、ログイン画面の一例を示す図である。ログイン画面は、拠点コード（点検実施者の所属営業所または事業所を識別するコード）、ログインＩＤ及びパスワードを入力する入力窓と、ログインボタン及び終了ボタンが表示される。拠点コード、ログインＩＤ及びパスワードは英数字が使用されるため、画面下部にアルファベット（大・小）、数値（０〜９）、「−」の入力補助ボタンを備えたテキスト入力補助画面がログイン画面に重なって表示される。
【００４４】
テキスト補助入力画面において、必要な入力補助ボタンをスタイラスペン等でクリックすることにより、英文字及び数字の入力が行われる。拠点コード、ログインＩＤ及びパスワードの入力が終了して、右下の「ログイン」ボタンをクリックすると、これらの情報が認証要求信号と共に管理システム３へ送信され、管理システム３において、ＤＢ３３の保安点検作業員情報マスタに格納されている保安点検作業員情報と比較されて認証処理が行われる。
【００４５】
認証処理の結果、送信されてきた拠点コード、ログインＩＤ及びパスワードがＤＢ３３の保安点検作業員情報マスタに格納されている保安点検作業員情報のいずれかと一致すると、アクセスが承認され、ＤＢ３３から読み出された保安点検作業員情報（事業所コード、事業所名、担当者コード、担当者名）がウェブサーバー３１から送信される。送信された保安点検作業員情報（事業所コード、事業所名、担当者コード、担当者名）がＰＮＤ１で受信されると、表示部１７の画面が、ログイン画面からメインメニュー画面に切り替えられる。
【００４６】
図６は、メインメニュー画面の一例を示す図である。メインメニュー画面は、「点検調査」、「当日内改善」及び「帳票再印刷」の各ボタンと、「点検調査」ボタンの下部に表示された「点検調査業務を行います。」のメッセージと、「当日内改善」ボタンの下部に表示された「本日の点検調査結果を修正します。」のメッセージと、「帳票再印刷」ボタンの下部に表示された「本日の点検調査結果を再印刷します。」のメッセージが表示される。また、メインメニュー画面には、ログイン担当者情報として、点検実施者の詳細を示す事業所コード、事業所名、担当者コード及び担当者氏名が表示される。さらに、ログイン担当者情報の下部には、「パスワード変更」ボタン、ログアウトボタン及び終了ボタンが表示される。
【００４７】
「点検調査」ボタンがクリックされると、点検調査先検索画面へ遷移し、「当日内改善」ボタンがクリックされると、点検調査結果修正画面へ遷移し、「帳票再印刷」ボタンがクリックされると、点検調査結果再印刷画面へ遷移し、「パスワード変更」ボタンがクリックされると、パスワード変更画面へ遷移する。また、終了ボタンがクリックされると、ウィンドウズ（登録商標）が終了し、ログアウトボタンがクリックされると、ログアウト処理が行われ、図４のログイン画面へ遷移する。「点検調査」ボタンがクリックされた場合、点検調査結果登録機能に移行する。
【００４８】
図７は、点検調査結果登録機能における画面切り替え遷移を示す図である。図６のメインメニュー画面で「点検調査」ボタンがクリックされると、点検調査先検索画面に切り替わり、この点検調査先検索画面において、顧客コード入力補助ボタンがクリックされると、顧客コード検索画面が表示される。また、この点検調査先検索画面において、点検開始ボタンがクリックされると、点検調査結果入力画面に切り替わる。
【００４９】
点検調査結果入力画面で、基本情報ボタンがクリックされると、基本情報入力画面が呼び出され、供給点検ボタンをクリックすると、供給設備点検結果入力画面が呼び出され、消費調査ボタンをクリックすると、消費設備調査結果入力画面が呼び出され、試験ボタンをクリックすると、漏洩試験結果入力画面が呼び出される。基本情報入力画、給設備点検結果入力画面、消費設備調査結果入力画面及び漏洩試験結果入力画面は、タブ型式の画面として呼び出される。メニューボタンがクリックされると、入力情報破棄確認メッセージを表示後、「はい」ボタンの選択によりメインメニュー画面へ遷移する。メモボタンがクリックされると、メモ入力ダイアログが表示される。確認ボタンがクリックされると、入力値確認後、点検調査総合判定確認画面へ遷移する。点検調査総合判定確認画面において、登録ボタンがクリックされると、点検調査結果が管理システム３側へ送信されると共に、点検調査票出力画面に遷移する。管理システム３側では、受信された点検調査結果がＤＢ３３に登録される。
【００５０】
図８は、点検調査先検索画面の一例を示す図である。点検調査先検索画面は、顧客コード入力窓と、顧客コード入力補助ボタンと、顧客検索ボタンと、顧客情報と、実施業務と、「メニューへ」ボタンと、点検開始ボタンが表示される。顧客情報は、顧客名漢字、住所、電話（ＴＥＬ）番号、供給形態、メータ製造番号、前回供給設備点検実施日、前回消費設備調査実施日及び前回周知実施日が表示項目となっている。実施業務は、実施業務区分が供給開始時点検なのか定期点検の選択窓と、実施業務が「供給開始時点検調査」、「書面交付」、「周知」及び「埋設管」のいずれなのかを選択するチェックマーク（レ点）を入れる入力窓が表示される。
【００５１】
顧客コード入力補助ボタンをクリックすると、前述のテキスト入力補助画面が点検調査先検索画面に重なって表示され、テキスト入力補助画面を使用して顧客コード入力窓に顧客コードを入力し、検索ボタンをクリックすると、顧客情報要求信号が顧客コードと共に管理システム３側へ送信され、それに応じて、当該顧客コードに該当する顧客情報がＤＢ３３のマスタから読み出されてＰＮＤ１側へ返信され、ブランクだった顧客情報エリアに顧客情報が表示される。このように点検調査先の検索後、実施する業務のボタンをクリックして選択し、点検開始ボタンをクリックすると、点検調査結果入力画面に遷移する。
【００５２】
図９は、点検調査結果入力画面の一例を示す図である。点検調査結果入力画面は、顧客情報ボタンと、埋設管ボタンと、顧客情報ボタンに連動して表示されるお客様名、電話（ＴＥＬ）番号、地区コード、地図番号、地図コード、業種区分及び施設区分の各情報と、基本情報ボタンと、供給点検ボタンと、消費調査ボタンと、試験ボタンと、「メニューへ」ボタンとメモボタンと、確認ボタンとが表示される。お客様名、電話（ＴＥＬ）番号、地区コード、地図番号、地図コード、業種区分及び施設区分の各情報は、点検調査先検索時に検索されＤＢ３３のマスタから読み出されてＰＮＤ１へ送信された顧客情報に含まれているものである。
【００５３】
基本情報ボタンがクリックされると、基本情報入力画面が呼び出される。供給点検ボタンがクリックされると、供給設備点検結果入力画面が呼び出される。消費調査ボタンがクリックされると、消費設備調査結果入力画面が呼び出される。試験ボタンがクリックされると、漏洩試験結果入力画面が呼び出される。メモボタンがクリックされると、メモ入力ダイアログが表示される。確認ボタンがクリックされると、入力値チェック後、点検調査総合判定確認画面へ遷移する。
【００５４】
基本情報入力画面は、顧客情報ボタンと、埋設管ボタンと、次へボタンと、基本情報ボタンと、供給点検ボタンと、消費調査ボタンと、試験ボタンと、「メニューへ」ボタンとメモボタンと、確認ボタンとが表示される。顧客情報ボタンがクリックされると、顧客情報入力画面（タブ）が呼び出される。埋設管ボタンがクリックされると、埋設管点検入力画面（タブ）が表示される。
【００５５】
図１０は、供給設備点検結果入力画面の一例を示す図である。供給設備点検結果入力画面は、ガスメータボタンと、供給管ボタンと、調整器ボタンと、高・定圧ホースボタンと、容器ボタンと、１ｔ以上ボタンと、次へボタンと、基本情報ボタンと、供給点検ボタンと、消費調査ボタンと、試験ボタンと、「メニューへ」ボタンとメモボタンと、確認ボタンとが表示される。ガスメータボタンがクリックされると、ガスメータ点検入力画面（タブ）が呼び出される。供給管ボタンがクリックされると、供給管点検入力画面（タブ）が呼び出される。調整器ボタンがクリックされると、調整器点検入力画面（タブ）が呼び出される。高・低圧ホースボタンがクリックされると、高・低圧ホース点検入力画面（タブ）が呼び出される。容器ボタンがクリックされると、容器点検入力画面（タブ）が呼び出される。１ｔ以上ボタンがクリックされると、１ｔ以上点検入力画面（タブ）が呼び出される。
【００５６】
図１０では、ガスメータ点検入力画面（タブ）が表示されている例を示している。ガスメータ点検入力画面は、検満年月、メーカ、容量、型式、取付口、製造番号の各情報と、取付状況が良か否か未の選択窓と、取付状況が否の場合の理由（腐食、ワレ、キズ、ユルミ、ガス栓）にチェックマーク（レ点）を入れる各入力窓と、メータ異常表示が有りか無しか未確認かの選択窓とが表示される。
【００５７】
図１１は、消費設備調査結果入力画面の一例を示す図である。消費設備調査結果入力画面は、設置器具ボタンと、ガス栓ボタンと、保安器具ボタンと、「遮断弁、他」ボタンと、次へボタンと、基本情報ボタンと、供給点検ボタンと、消費調査ボタンと、試験ボタンと、「メニューへ」ボタンとメモボタンと、確認ボタンとが表示される。設備器具ボタンがクリックされると、設備器具情報入力画面（タブ）が呼び出される。ガス栓ボタンがクリックされると、ガス栓情報入力画面（タブ）が呼び出される。保安器具ボタンがクリックされると、保安器具情報入力画面（タブ）が呼び出される。「遮断弁、他」ボタンがクリックされると、遮断弁、その他情報入力画面（タブ）が呼び出される。
【００５８】
図１１では、設備器具情報入力画面（タブ）が表示されている例を示している。設備器具情報入力画面は、設備器具リスト（器具名、型式、結果）と、詳細ボタンと、現在ページ／総ページ数と、基本情報ボタンと、供給点検ボタンと、消費調査ボタンと、試験ボタンと、「メニューへ」ボタンとメモボタンと、確認ボタンとが表示される。詳細ボタンがクリックされると、該当行の設置器具詳細情報入力ダイアログ（図示しない）が表示される。
【００５９】
図１２は、漏洩試験情報入力画面の一例を示す図である。漏洩試験情報入力画面は、漏洩試験ボタンと、調整・閉塞ボタンと、次へボタンと、基本情報ボタンと、供給点検ボタンと、消費調査ボタンと、試験ボタンと、「メニューへ」ボタンとメモボタンと、確認ボタンとが表示される。漏洩試験ボタンがクリックされると、漏洩試験入力画面（タブ）が呼び出される。調整・閉塞ボタンがクリックされると、調整・閉塞試験入力画面（タブ）が呼び出される。
【００６０】
図１２では、漏洩試験入力画面（タブ）が表示されている例を示している。漏洩試験入力画面は、漏洩試験結果の試験機器名、初圧、終圧及び保持時間の数値入力窓、Ｓ型代替措置の対象か非対象かの選択窓、時間区分が１０分か５分かの選択窓、及び判定が良か否か未かの選択窓と、燃焼器入口圧力測定結果の器具入口圧力の数値入力窓、および判定が良か否か未かの選択窓とが表示される。
【００６１】
図１３は、点検調査総合判定確認画面の一例を示す図である。点検調査総合判定確認画面は、消費設備調査結果において、結果が適か否かを表示する表示窓、結果区分が正常か改善かの選択窓と、供給設備点検結果において、結果が適か否かを表示する表示窓、否の項目確認ボタン、異常内容のコードを入力する入力窓、及び異常詳細の表示窓と、戻るボタンと、登録ボタンとが表示される。否の項目確認ボタンがクリックされると、結果が否の項目が内容詳細確認ダイアログにて全て表示される。
【００６２】
図１４は、内容詳細確認ダイアログの一例を示す図である。この例では、供給設備点検で結果が「否」の項目が、供給−ガスメーター取付状況、供給−高・低圧ホースバルブ、の２項目表示されている。閉じるボタンがクリックされると、内容詳細確認ダイアログが閉じられる。
【００６３】
図１３において、戻るボタンがクリックされると、点検調査結果入力画面に遷移する。登録ボタンがクリックされると、登録確認メッセージを表示し、「はい」選択で結果を管理システム３側に送信し、点検調査票出力画面へ遷移する。管理システム３側では、受信された点検調査結果がＤＢ３３に登録される。
【００６４】
図１５は、点検調査票出力画面の一例を示す図である。点検調査票出力画面は、「ＵＳＢ接続の場合はチェック」というチェックマーク（レ点）の入力窓と、点検調査票出力ボタンと、メニューへボタンが表示される。点検調査票出力ボタンがクリックされると、管理システム３側から印刷イメージを取得し、プリンタ４へ点検調査票出力が行われ、プリンタ４で点検調査票が印刷される。点検調査票は、例えば、各点検調査項目に対する各点検結果と総合判定結果とが、手書きに代えて自動的に入力されたものが印刷される。印刷用紙は、例えば、保安機関控用とお客様控用が２枚重ねで同時印刷可能な感熱紙とされる。
【００６５】
図１５において、「ＵＳＢ接続の場合はチェック」にチェックマーク（レ点）が入っている場合は、ＰＮＤ１とプリンタ４がＵＳＢ接続（有線接続）されていることを示し、管理システム３側から印刷イメージを取得後、ＵＳＢ機器切り替え確認メッセージが表示される。「ＵＳＢ接続の場合はチェック」にチェックマーク（レ点）が入っていない場合は、ＰＮＤ１とプリンタ４が無線接続（例えば、ＢｌｕｅＴｏｏｔｈ通信方式）されていることを示す。
【００６６】
以上説明したように、本発明の第１の実施形態によれば、ガス設備保安点検用携帯端末としてのＰＮＤ１を用いることにより、点検調査先のお客様宅までのルート案内に加えて、点検調査結果の入力作業が手書き等をすることなく効率的に行われると共に、点検結果の記録ミス等の人為的ミスが軽減して確実性が向上する。また、帳票点検内容のチェックを行う必要がなくなり、点検実施者の業務軽減に繋がる。また、点検調査結果は、ＰＮＤ１から管理システム３へ送信され、ＤＢ３３に自動的に保存されるので、従来のように点検調査票を持ち帰った後の監視システム３への入力作業を行う必要がなくなり、業務軽減に繋がる。さらに、ＰＮＤ１に有線または無線で接続されるハンディタイプのプリンタ４により、点検現場で点検調査票を印刷することができる。また、既存のＰＮＤに通信部１９を追加してガス設備保安点検用携帯端末としているため、安価なコストで実現することができる。
【００６７】
（第２の実施形態）次に、図１５は、本発明の第２の実施形態に係るガス設備保安点検用携帯端末を含むガス設備保安点検システムの構成を示す概略構成図である。図１５においては、ガス設備保安点検システムは、図１の構成に加えて、データベースサーバー３２に同一プライベートネットワーク内で接続された、保安管理ガスサーバー５１及びＤＢ５２を有する保安管理センターシステム５を備えていることが特徴である。
【００６８】
保安管理センターシステム５は、複数のガス供給会社が利用し、各会社のガス設備の検満期限や定期点検スケジュール等の保安管理を行うものである。保安管理センターシステム５の保安管理サーバー５１は、管理システム３のデータベースサーバー３２と通信し、ＤＢ５２には、ガス供給会社のＤＢ３３に格納され更新されているマスタ情報の中から、保安管理に必要な一部のマスタ情報がバッチ処理にて格納されている。例えば、ＤＢ５２には、保安点検作業員（点検実施者）の所属会社名を示す会社情報を格納した会社情報マスタと、保安点検対象のガス器型番情報（例えば、ＲＮ４１５５等）を格納した器具名称情報マスタと、保安対象のガス器具名称情報（例えば、リンナイガステーブル）を格納した名称情報マスタと、顧客関連情報（例えば、氏名、住所、売掛債権等）を格納した顧客情報マスタと、顧客へのガス供給開始時のガス設備の点検調査結果の履歴を格納した供給開始時点検調査履歴情報マスタと、定期点検時のガス供給設備の点検調査結果の履歴を格納した定期供給設備点検履歴情報マスタと、定期点検時のガス消費設備の点検調査結果の履歴を格納した定期消費設備点検履歴情報マスタ等が格納されている。
【００６９】
点検実施者によるＬＰガス保安点検プログラムへのログイン後、点検作業の進行に伴ってＰＮＤ１の表示部１７に表示される画面に表示させるのに必要な顧客情報等は、管理システム３のＤＢ３３に格納されているマスタ情報と、保安管理センターシステム５のＤＢ５２に格納されているマスタ情報とから取得されて表示される。また、点検調査結果は、ＰＮＤ１から管理システム３へ送信されてＤＢ３３に保存されるが、クーロンによりデータ送信されるバッチ処理で、管理システム３のＤＢ３３から読み出されて保安管理センターシステム５のＤＢ５２にも保存される。したがって、点検スケジュールを管理する保安管理センターシステム５のＤＢ５２から訪問先リストを読み出して印刷することもできる。
【００７０】
このように、本発明の第２の実施形態によれば、外部の保安管理センターシステムと連携してガス設備の保安点検を行うことができる。
【００７１】
以上の通り、本発明の実施の形態について説明したが、本発明はこれに限らず、種々の変形、応用が可能である。
【００７２】
例えば、ガス設備保安点検アプリケーションソフトの起動時に、点検結果入力画面を表示させる際に、前回点検結果の内容を表示部１７に表示させるようにしても良い。この場合は、前回の調査結果と同じ点検結果となった点検項目については新たな入力を省くことができ、作業の効率化に繋がる。
【符号の説明】
【００７３】
１    パーソナルナビゲーションデバイス（ＰＮＤ）（ガス設備保安点検用携帯端末）
２    インターネット（通信ネットワーク）
３    管理システム
４    プリンタ
１１  ＣＰＵ（制御手段）
１２  ＧＰＳアンテナ（位置情報取得手段の一部）
１３  ＧＰＳ受信部（位置情報取得手段の一部）
１４  加速度センサ（位置情報取得手段の一部）
１５  電子コンパス（位置情報取得手段の一部）
１７  表示部（表示手段）
１８  メモリ（記憶手段）
１９  通信部（通信手段）
３１  ウェブサーバー（通信手段）
３３  データベース（DB）
【図１】
2010165317.tif 000003
【図２】
2010165317.tif 000004
【図３】
2010165317.tif 000005
【図４】
2010165317.tif 000006
【図５】
2010165317.tif 000007
【図６】
2010165317.tif 000008
【図７】
2010165317.tif 000009
【図８】
2010165317.tif 000010
【図９】
2010165317.tif 000011
【図１０】
2010165317.tif 000012
【図１１】
2010165317.tif 000013
【図１２】
2010165317.tif 000014
【図１３】
2010165317.tif 000015
【図１４】
2010165317.tif 000016
【図１５】
2010165317.tif 000017
【図１６】
2010165317.tif 000018